(57)【要約】【課題】  コンテンツ再生機において、映画やアニメ等のアフレコを楽しみたい。【解決手段】  コンテンツ再生機において、元のコンテンツが再生されている画面に当該利用者が声をあてる登場人物のセリフが、当該セリフのタイミングで表示されるようにする。【選択図】図２
2017156729.tif 000002
【特許請求の範囲】
【請求項１】
音声入力手段を持ち、当該音声入力手段により利用者の音声を、映像と音声があるコンテンツに融合して出力できるコンテンツ再生機において、
１ないし複数の人物が登場するコンテンツの１の人物の役者のセリフを、利用者が当てるとき、セリフが表示され、当該人物のセリフの進行に合わせて色が変わる事を特徴とするコンテンツ再生機。
【請求項２】
前記請求項１記載のコンテンツ再生機において、前記コンテンツの、当該登場人物のうち１の人物の役者の音声を抜き、利用者が当該１の人物のセリフを当てることを特徴とする請求項１記載のコンテンツ再生機。
【請求項３】
請求項１乃至２記載のコンテンツ再生機において、
コンテンツの開始からの時間を示すカウンタが表示され、当該１の人物の次のセリフまで時間が空くとき、そのセリフ開始の時間と当該セリフ冒頭部を、テロップ表示することを特徴とする請求項１乃至２記載のコンテンツ再生機。
【請求項４】
前記請求項１乃至３記載コンテンツ再生機において、オリジナルの役者の発声した音声をピッチ検出し、ピアノロール的な様式で画面に表示することを特徴とする請求項１乃至３記載のコンテンツ再生機。
【請求項５】
前記請求項４記載のコンテンツ再生機において、前記ピアノロール的な表示は、コンテンツ映像に重ねて半透明に表示することを特徴とする請求項４記載のコンテンツ再生機。
【請求項６】
前記請求項１乃至５記載のコンテンツ再生機において、
利用者の音声をピッチ検出した利用者の音程データと、オリジナルの役者の音声をピッチ検出したオリジナルの音程データとを比較して採点することを特徴とする請求項１乃至５記載のコンテンツ再生機。
【発明の詳細な説明】
【技術分野】
【０００１】
本発明は、映像コンテンツを再生し、台詞のアフレコを楽しみながら再生できるコンテンツ再生機に関するものである。
【背景技術】
【０００２】
近年のカラオケは、単に楽曲を歌唱するだけのものにとどまらず、歌唱を補助する歌唱結果に採点機能が付くのはもはや常識であり、採点結果もとにゲーム感覚で歌唱できるものまで出てきている。
【０００３】
また背景映像にアバタを採用し、カラオケ演奏に反映させるものや、歌唱だけでなく映画等のコンテンツの視聴が可能なものもあり、楽曲の代わりにコンテンツを再生するものも登場している。
【０００４】
一方、アニメや洋画の声優の真似事をしたいと思う人達がアフレコを楽しみたいという需要は一定数あり、ＤＶＤ−ＲＯＭの特典ディスクとして、特定の人物の声が抜いてあるＤＶＤ−ＲＯＭが添付される場合がある。この場合、利用者は、映像を見ながら発声するだけであり、自分の声が合成される訳ではないないため、実際のアフレコとは異なる。
【０００５】
そこで、カラオケの楽曲再生機能を利用して、コンテンツの登場人物のアフレコに応用して楽しもうとする試みが各社から出願されている。
【先行技術文献】
【特許文献】
【０００６】
【特許文献１】特開平11-212438号公報
【特許文献２】特開2006-071711号公報
【発明の概要】
【０００７】
特許文献１は、モニターテレビの画面を見ながら、消された音声を発声し、美しい映像を見て音楽を聞きながら、楽しくかつ効果的に、また画面内の登場人物のつもりになれる臨場感をもって語学の練習を行うために、第１の音響チャネルＣＨ１及び第２の音響チャネルＣＨ２によって第１の音響信号と第２の音響信号を選択し、これら音響信号による各音声の少なくとも一方を消し、この消された音声についてミキサーＭＩＸ（Ａ）、（Ｂ）とマイクロホン付きスピーカを用いた信号処理によって効果的に発音練習できるようにしたものである。
特許文献２は、従来のカラオケシステムの機能を有効に活用し、映画やドラマなどの映像コンテンツをもって、見易い映像コンテンツの映像出力と、その音響出力と利用者の台詞音声をミキシング音声出力し、利用者自らが参加した臨場感ある映像と音響を体感できると共に、利用者に対して好適に台詞を表示でき、その登場人物の台詞の発声練習を効率良く行えるカラオケシステムの提供するために、
主表示手段と副表示手段とを備え、台詞のある登場人物が含まれた映像コンテンツを有し、利用者が所望する登場人物の台詞音声を消去して音響出力すると共に、その音響出力と利用者の台詞音声とをミキシングして音声出力するためのミキシング音声出力手段を備えたカラオケ演奏装置を主体とし、主表示手段には、字幕テロップを表示出力させずに映像コンテンツを映像出力し、副表示手段には、当該映像コンテンツの映像出力と同期させ、消去された台詞の字幕テロップを表示出力させるように制御するための出力制御手段を備えたカラオケシステムを構築した。
【発明が解決しようとする課題】
【０００８】
特許文献１は、外国語の会話において特定の音声を消して、その登場人物になって話に参加するようなイメージでカラオケを語学研修に役立てるというものであり、本発明の目的とは異なる。
特許文献２は、映画やドラマの中で特定のセリフ音声を消去し、当該音声を利用者が作品の登場人物になり、他の登場人物とともに会話を楽しむもので、本発明の目的に近いが副音声を使用することは一般的ではない。
【０００９】
カラオケで歌唱する場合、それが１人であっても複数の歌唱であっても、歌っている時間が大半であり、前奏や間奏、他の人の歌唱を待つ時間は一般に少ない。
しかし、ドラマ、映画などのコンテンツにおけるセリフにおいては、自分のセリフを当てる前に、他の登場人物のセリフを聞いて待っている時間が多いことが一般的であり、適切にセリフをこなすためには、劇団における芝居の稽古のような訓練が要求されるものである。これを一般の素人がカラオケ感覚でセリフを入れる場合、油断しているといつのまにか自分のセリフの出番が終わってしまうようなことにもなってしまう。
また、最近のカラオケシステムには採点機能があるが、セリフにも上手下手があり、うまく当てはめるためにはセリフも採点機能がほしいところである。
【課題を解決するための手段】
【００１０】
上記の課題を解決するために、本発明の請求項１は、
音声入力手段を持ち、当該音声入力手段により利用者の音声を、映像と音声があるコンテンツに融合して出力できるコンテンツ再生機において、１ないし複数の人物が登場するコンテンツの１の人物の役者のセリフを、利用者が当てるとき、セリフが表示され、当該人物のセリフの進行に合わせて色が変わる事を特徴とするコンテンツ再生機である。
【００１１】
また、本発明の請求項２は、
前記請求項１記載のコンテンツ再生機において、前記コンテンツの、当該登場人物のうち１の人物の役者の音声を抜き、利用者が当該１の人物のセリフを当てることを特徴とする請求項１記載のコンテンツ再生機である。
【００１２】
また、本発明の請求項３は、
請求項１乃至２記載のコンテンツ再生機において、
コンテンツの開始からの時間を示すカウンタが表示され、
当該１の人物の次のセリフまで時間が空くとき、そのセリフ開始の時間と当該セリフ冒頭部を、テロップ表示することを特徴とする請求項１乃至２記載のコンテンツ再生機である。
【００１３】
本発明の請求項４は、前記請求項１乃至３記載のコンテンツ再生機において、
オリジナルの役者の発声した音声をピッチ検出し、ピアノロール的な様式で画面に表示することを特徴とする請求項１乃至３記載のネットワークカラオケシステムコンテンツ再生機である。
【００１４】
本発明の請求項５は、
前記請求項４記載のコンテンツ再生機において、前記ピアノロール的な表示は、コンテンツ映像に重ねて半透明に表示することを特徴とする請求項４記載のコンテンツ再生機である。
【００１５】
本発明の請求項６は、
前記請求項１乃至５記載のコンテンツ再生機において、
利用者の音声をピッチ検出した利用者の音程データと、オリジナルの役者の音声をピッチ検出したオリジナルの音程データとを比較して採点することを特徴とする請求項１乃至５記載のコンテンツ再生機である。
【発明の効果】
【００１６】
これにより、人気のアニメや映画、ドラマ等において、利用者が気に入った登場人物を演じるアフレコを簡易に楽しむことができる。
【図面の簡単な説明】
【００１７】
【図１】一般のカラオケにおける表示イメージを示した説明図である。
【図２】本発明の表示イメージを示した説明図である。
【発明を実施するための形態】
【００１８】
本発明の実施イメージを図１、図２に示す。
図１は、コンテンツ再生機において、利用者が登場人物のセリフを真似てアフレコしようとする場合、コンテンツが再生されている画面に、当該利用者が声をあてる登場人物のセリフ６がセリフの進行に合わせて色が変わるという実施例である。
カラオケにおいては、歌の無い時間には「間奏○○秒」などと表示されるが、本発明のアフレコにおいては、次のセリフまで時間が空く場合、図２のようにコンテンツ再生機１に接続されたモニタ３にコンテンツ経過時間３と当該次のセリフ冒頭部４が当該セリフ開始時間とともに表示される。
図２の例ではコンテンツ開始からの経過時間３は、００：００：０６：１２、アフレコしたい登場人物の次のセリフとセリフ開始時間００：０８のように表示されているため、次のセリフの開始はコンテンツ開始から８秒後であることがわかる。
【産業上の利用可能性】
【００１９】
これにより、アニメや映画やドラマのアフレコを簡易に楽しむという市場が創造される可能性が生まれる。
【符号の説明】
【００２０】
１・・・コンテンツ再生機
２・・・モニタ
３・・・経過時間
４・・・セリフ
６・・・セリフ
【図１】
2017156729.tif 000003
【図２】
2017156729.tif 000004